(57)【要約】  【課題】  薄型表示装置のスタンドが、自立できない停止禁止範囲内で回動操作を停止されることがないようにする。  【解決手段】  背面に一定値以上のトルクを伴う回動操作により回動自在に軸支されたスタンド２を備えた薄型表示装置１において、スタンド２が前記背面に平行な位置から後方に開いて所定角度までの停止禁止範囲内での回動トルクを０または所定値以下とする。そのために、スタンド２の支軸部分の回動側と固定側のいずれか一方に設けられてバネで他方側に押圧された鋼球１３と、前記回動側と固定側の他方側に設けられて鋼球１３に当接されるトルク板２２と、トルク板２２上の鋼球１３の軌跡上であって前記停止禁止範囲の対応部分に形成された後退部分とを備える。【選択図】  図５
2005136651.tif 000002
【特許請求の範囲】
【請求項１】
背面に少なくともＡ：表示画面角度を上下方向に回動自在なスタンドを備えた薄型表示装置において、
前記スタンドの回動操作により前記薄型表示装置の表示画面が垂直に近い角度範囲内に保持されている間は前記スタンドの回動トルクを約０にしたことを特徴とする薄型表示装置。
【請求項２】
背面に一定値以上のトルクを伴う回動操作によりＡ上下方向回動自在に軸支されたスタンドを備えた薄型表示装置において、
スタンドが前記背面に平行な位置から後方に開いて所定角度までの停止禁止範囲内での回動トルクを０または所定値以下としたことを特徴とする薄型表示装置
【請求項３】
請求項１または２に記載の薄型表示装置において、
前記スタンドの支軸部分の回動側と固定側のいずれか一方に設けられてバネで他方側に押圧された鋼球と、
前記回動側と固定側の他方側に設けられて前記鋼球に当接されるトルク板と、
該トルク板上の前記鋼球の軌跡上であって前記停止禁止範囲の対応部分に形成された後退部分と、
を備えたことを特徴とする薄型表示装置。
【請求項４】
請求項３に記載の薄型表示装置において、
前記後退部分を前記トルク板に形成された切り抜き孔としたことを特徴とする薄型表示装置。
【請求項５】
請求項１乃至４のいずれかに記載の薄型表示装置において、
前記スタンドの先端を鋭角形状に形成したことを特徴とする薄型表示装置。
【発明の詳細な説明】
【技術分野】
【０００１】
本発明は、液晶テレビ等の薄型表示装置に関し、詳しくは背面に斜め下方向を向いた回動可能なスタンドを備えた薄型表示装置に関する。
【背景技術】
【０００２】
従来、液晶テレビ等の薄型表示装置では、卓上に設置する場合と壁掛けにする場合を兼用させることがあった。その場合は、表示装置の背面にいわゆるフォトスタンド型のスタンドを設けていた。このスタンドは、上端が表示装置の背面に回動可能に取り付けられ、表示装置が卓上に設置される場合は、その下端が斜め下方を向いて卓上面に当接して、表示装置が後方に倒れないように支える。壁掛けにする場合は、スタンドを表示装置と平行に折り畳んで壁掛けの邪魔にならないようにしている。また、卓上に設置する場合、表示装置の前面の角度を任意の角度に調整するために、背面のスタンドを前後に開閉操作していた。このようにスタンドの角度を調整して調整した角度を保持するためには、スタンドの支軸部分に、スタンドの回動動作にともなってトルクを発生する機構を設けていた。この機構としては、鋼球とバネ板を組み合わせたもの等が提案されている。また、それ以外の表示装置の角度を調整する機構としては、特許文献１〜３に記載のものが提案されている。
【特許文献１】特開平８−２６１３９２号公報
【特許文献２】特開２００１−５１７５０号公報
【特許文献３】特開２００２−１９６６８６号公報
【発明の開示】
【発明が解決しようとする課題】
【０００３】
ところで、上述した薄型表示装置のスタンドは、表示装置を卓上で支持する場合のその回動範囲に着目してみると、図１〜図３に示すように、スタンドが表示装置の背面と平行な角度から次第に開かれていくときのある角度までは、表示装置の角度が垂直に近く、規定されている転倒角度の条件を満たさないため、スタンドの拡大操作を停止してはいけない範囲がある。もし、この停止禁止範囲内でスタンドを停止してしまうと、表示装置が自立できない場合と、自立できても不安定となりわずかな外力が加わっただけで転倒してしまう危険がある場合がある。そのため、ユーザがこの停止禁止範囲内でスタンドを停止してしまうことがないように、従来は、取り扱い説明書にその旨を記載したり、スタンド部分にその注意書きを記載したラベルを貼付して注意を促していたが、確実に周知徹底される保証は得られなかった。そこで、本発明は、薄型表示装置のスタンドが、停止禁止範囲内で回動操作を停止されることがないようにすることを目的とした。
【課題を解決するための手段】
【０００４】
上記課題を解決するために、本発明は、背面に少なくともＡ上下方向に回動自在なスタンドを備えた薄型表示装置において、前記スタンドの回動操作により前記薄型表示装置の表示画面が垂直に近い角度範囲内に保持されている間は前記スタンドの回動トルクを約０にする。詳しくは、背面に一定値以上のトルクを伴う回動操作によりＡ上下方向回動自在に軸支されたスタンドを備えた薄型表示装置において、スタンドが前記背面に平行な位置から後方に開いて所定角度までの停止禁止範囲内での回動トルクを０または所定値以下とする。そのためには、前記スタンドの支軸部分の回動側と固定側のいずれか一方に設けられてバネで他方側に押圧された鋼球と、前記回動側と固定側の他方側に設けられて前記鋼球に当接されるトルク板と、該トルク板上の前記鋼球の軌跡上であって前記停止禁止範囲の対応部分に形成された後退部分とを備える。また、前記後退部分は前記トルク板に形成された切り抜き孔とすることが好ましい。さらに、前記スタンドの先端は鋭角形状に形成することが好ましい。
【発明の効果】
【０００５】
以上述べたように本発明によれば、背面に少なくとも上下方向に回動自在なスタンドを備えた薄型表示装置において、薄型表示装置の画面の角度が垂直に近い停止禁止範囲内ではスタンドの回動トルクを０または所定値以下にすることで、ユーザはスタンドを回動操作する際に、トルク０または所定値以下の停止禁止範囲では、回動操作を停止することが不自然に感じられ、手応えのある、薄型表示装置を安全に自立させることができる範囲で回動操作を停止するようになり、薄型表示装置の転倒を防止することが可能となる。
【発明を実施するための最良の形態】
【０００６】
以下、図に基づいて本発明の実施形態を説明する。
図１は本発明に係る薄型表示装置の一実施形態の側面図であり、スタンドの回動範囲を示す。図２は図１においてスタンドを閉じた、自立不可能な範囲の状態を示し、図３は図１においてスタンドを開いて安定して自立できる状態を示す。これらの図において、１は薄型表示装置であるところの液晶テレビであり、背面の下寄りの位置に、スタンド２が軸支されている。スタンド２の上方には、壁掛け時に使用するリング３が取り付けられている。さらに、リング３の外側にリモコン４が着脱自在に取り付けられている。スタンド２は、図１に示すように、閉じられた状態で液晶テレビ１の背面に略平行な位置Ａとなり、その位置から開かれて位置Ｂまでは、トルクが０または微小な値として回動される。このＡＢ間では、スタンド２が停止されても、液晶テレビ１を自立させることができないか、自立しても不安定で、転倒角の規制を満足することができない範囲である。なお、転倒角の規格では、垂直に対して１０度以上と定められているが、図示例ではより安全なように１５度以上の場合に自立するようにしている。
【０００７】
このように、ＡＢ間で、スタンド２の回動操作にトルクを要しないので、スタンド２を回動操作するユーザは、感覚的に手応えがないため、回動操作を中止することに躊躇して、位置Ｂに到達するまで回動操作を続けることになる。次に、位置Ｂから回動範囲の最終位置Ｃまでは、回動操作に一定値以上のトルクを必要とする範囲である。この範囲内で、ユーザは液晶テレビ１の画面の向きが最適な角度となるように角度を調整することができ、回動操作を停止するとその位置でスタンド２が安定して保持される。この範囲では、スタンド２を他の角度に変更しようとすると、スタンド２に一定値以上の回動トルクを与えなければならない。これらＢＣ間の操作については、従来のスタンドにおける操作と同じである。
【０００８】
図４〜図７はスタンド２とそれを支持する金具部分を示し、図４は斜視図であり、図５はスタンド２が閉じた状態の側面図であり、図６はその平面図であり、図７はその正面図である。スタンド２は、図４および図７に示されるように、液晶テレビ１の背面に取り付けられブラケット金具１１，１２により、スタンド２と一体の回動軸２１の両端が支持されている。ブラケット金具１２と回動軸２１の接続部分は、図５に示すように、ブラケット金具１２に孔が開けられて、そこへ鋼球１３が装着され背面側から手前側に向けてばね（図示せず）により押圧されている。鋼球１３の手前側には、回動軸２１に一体的に支持されて回動軸２１とともに回動するトルク板２２が配置されている。
【０００９】
その結果、トルク板２２の背面に鋼球１３が押圧されていることになる。トルク板２２には、スタンド２が回動操作された際の鋼球１３が当接される軌跡上に、その軌跡に沿った長孔２３と丸孔２４が形成されている。ここで、スタンド２が図１の反時計方向にＡＢ間を回動する間は、鋼球１３は長孔２３内に位置しているため、鋼球１３がトルク板２２に当接せずにトルクが０または微小な値となる。次いで、スタンド２が図１の反時計方向にＢＣ間を回動する間は、鋼球１３はトルク板２２に当接してその押圧力に比例したトルクが発生する。次いで、スタンド２がＣ位置に到達すると鋼球１３が丸孔２４に挿入され、スタンド２はその位置で安定する。スタンド２が時計方向に回動される場合も、同様に、その位置に応じて、トルクが発生したり消失したりする。
【００１０】
なお、鋼球１３が長孔２３の上端と丸孔２４との間の範囲を逸脱しないように、ブラケット金具１２と回動軸２１の間にストッパー（図示せず）が設けられている。これらトルク板２２と鋼球１３を組み合わせたトルク発生機構は、従来の液晶テレビのスタンドに広く用いられている技術であるが、本発明は、そのトルク板２２に新たに長孔２３を形成してトルクレスの範囲を設けたものである。ここで、トルク板２２上に長孔２３を形成しないで、代わりにトルク板２２に鋼球１３から遠ざかる方向に後退する溝を形成し、その深さでトルクの大きさを調整するように構成することも可能である。また、図示例では、ブラケット金具１２側に鋼球１３を設け、回動軸２１側にトルク板２２を設けたが、これらの位置関係は相対的なものであり、互いに反対にして配置することも可能である。また、スタンド２はその先端が鋭角形状に尖った形状に形成されているため、スタンド２の先端の卓上面等との接触部の単位面積当たりの荷重が相対的に大きくなり、その分摩擦力が増して、滑りにくくなる効果が得られる。
【産業上の利用可能性】
【００１１】
本発明は、液晶テレビ等の薄型表示装置以外に、背面に上下方向回動操作が可能なスタンドを備えた電子機器および家具、陳列器具等に利用可能である。
【図面の簡単な説明】
【００１２】
【図１】本発明に係る薄型表示装置の一実施形態の側面図であり、スタンドの回動範囲を示す。
【図２】図１においてスタンドを閉じた自立不可能な範囲の状態を示す側面図である。
【図３】図１においてスタンドを開いて安定して自立できる状態を示す側面図である。
【図４】図１のスタンドとそれを支持する金具部分を示す斜視図である。
【図５】図１のスタンドとそれを支持する金具部分を示す側面図である。
【図６】図１のスタンドとそれを支持する金具部分を示す平面図である。
【図７】図１のスタンドとそれを支持する金具部分を示す正面図である。
【符号の説明】
【００１３】
１  液晶テレビ
２  スタンド
３  リング
４  リモコン
１１，１２  ブラケット金具
１３  鋼球
２１  回動軸
２２  トルク板
２３  長孔
２４  丸孔
【図１】
2005136651.tif 000003
【図２】
2005136651.tif 000004
【図３】
2005136651.tif 000005
【図４】
2005136651.tif 000006
【図５】
2005136651.tif 000007
【図６】
2005136651.tif 000008
【図７】
2005136651.tif 000009
【手続補正書】
【提出日】平成16年1月13日(2004.1.13)
【手続補正１】
【補正対象書類名】特許請求の範囲
【補正対象項目名】請求項１
【補正方法】変更
【補正の内容】
【請求項１】
背面に少なくとも表示画面角度を上下方向に回動自在なスタンドを備えた薄型表示装置において、
前記スタンドの回動操作により前記薄型表示装置の表示画面が垂直に近い角度範囲内に保持されている間は前記スタンドの回動トルクを約０にしたことを特徴とする薄型表示装置。
【手続補正２】
【補正対象書類名】特許請求の範囲
【補正対象項目名】請求項２
【補正方法】変更
【補正の内容】
【請求項２】
背面に一定値以上のトルクを伴う回動操作により上下方向回動自在に軸支されたスタンドを備えた薄型表示装置において、
スタンドが前記背面に平行な位置から後方に開いて所定角度までの停止禁止範囲内での回動トルクを０または所定値以下としたことを特徴とする薄型表示装置。